(57)【要約】【課題】  この発明は、コンピュータとコンピュータにネットワークを介して接続された投射型映像表示装置とを備え、コンピュータから投射型映像表示装置に映像を伝送して投射型映像表示装置に投射させる映像表示システムにおいて、静止画や動画を円滑に表示させることができる映像表示システムを提供することを目的とする。【解決手段】  コンピュータから出力された映像データを圧縮するための映像圧縮手段と映像圧縮手段によって圧縮された映像データを送信するための送信手段とを備えた送信側ユニットが、コンピュータに接続されており、送信側ユニットによって送信された圧縮映像データを受信する受信手段と受信手段によって受信された圧縮映像データを伸張する映像伸張手段とを備えた受信側ユニットが、投射型映像表示装置に接続されている。【選択図】  図３
2006235304.tif 000002
【特許請求の範囲】
【請求項１】
コンピュータとコンピュータにネットワークを介して接続された投射型映像表示装置とを備え、コンピュータから投射型映像表示装置に映像を伝送して投射型映像表示装置に投射させる映像表示システムにおいて、
コンピュータから出力された映像データを圧縮するための映像圧縮手段と映像圧縮手段によって圧縮された映像データを送信するための送信手段とを備えた送信側ユニットが、コンピュータに接続されており、送信側ユニットによって送信された圧縮映像データを受信する受信手段と受信手段によって受信された圧縮映像データを伸張する映像伸張手段とを備えた受信側ユニットが、投射型映像表示装置に接続されていることを特徴とする映像表示システム。
【請求項２】
送信側ユニット内の映像圧縮手段がハードウェアで構成されており、受信側ユニット内の映像伸張手段がハードウェアで構成されていることを特徴とする請求項１に記載の映像表示システム。
【発明の詳細な説明】
【技術分野】
【０００１】
この発明は、コンピュータと、コンピュータにネットワークを介して接続された液晶プロジェクタ、ＤＬＰプロジェクタ等の投射型映像表示装置とを備え、コンピュータから投射型映像表示装置に映像を伝送して投射型映像表示装置に投射させる映像表示システムに関する。
【背景技術】
【０００２】
コンピュータ画面を大きなスクリーンに投射する液晶プロジェクタは、教育用、プレゼンテーション用として普及している。
【０００３】
図４は、ＰＣと液晶プロジェクタを用いた従来の映像表示システムの外観を示している。また、図５は、図４の映像表示システムの構成を示している。
【０００４】
映像表示システムは、無線ＬＡＮカード１０が装着されたパーソナルコンピュータ（以下、ＰＣという）１００と、無線受信ユニット２０が装着された液晶プロジェクタ２００とから構成されている。
【０００５】
図５に示すように、ＰＣ１００には、Video Capture 用アプリケーション１０１が搭載されている。また、ＰＣ１００に装着された無線ＬＡＮカード１０は、送信部１１を含んでいる。また、液晶プロジェクタ２００に装着された無線受信ユニット２０は、受信部２１を含んでいる。
【０００６】
ＰＣ１００内のVideo Capture 用アプリケーション１０１によって、アナログＲＧＢ信号のキャプチャが行われる。キャプチャ後の映像信号は、ＰＣ１００に装着された無線ＬＡＮカード１０等のネットワーク、および液晶プロジェクタ２００に装着された無線受信ユニット２０を介して液晶プロジェクタ２００に伝送され、液晶プロジェクタ２００によって図示しないスクリーン上に投影される。
【０００７】
従来のシステムでは、Video Capture 用アプリケーション１０１はＰＣ１００の性能によって左右されるため、キャプチャに時間がかかる場合があり、ＰＣ１００に表示される映像と液晶プロジェクタ２００から投射される映像との間に時間的な遅れが生じ、操作性を損なう可能性があるという問題がある。また、キャプチャに時間がかかることにより、動画の伝送が行えないという問題がある。
【特許文献１】特開平５−２４９９３１号公報
【発明の開示】
【発明が解決しようとする課題】
【０００８】
この発明は、コンピュータとコンピュータにネットワークを介して接続された投射型映像表示装置とを備え、コンピュータから投射型映像表示装置に映像を伝送して投射型映像表示装置に投射させる映像表示システムにおいて、静止画や動画を円滑に表示させることができる映像表示システムを提供することを目的とする。
【課題を解決するための手段】
【０００９】
請求項１に記載の発明は、コンピュータとコンピュータにネットワークを介して接続された投射型映像表示装置とを備え、コンピュータから投射型映像表示装置に映像を伝送して投射型映像表示装置に投射させる映像表示システムにおいて、コンピュータから出力された映像データを圧縮するための映像圧縮手段と映像圧縮手段によって圧縮された映像データを送信するための送信手段とを備えた送信側ユニットが、コンピュータに接続されており、送信側ユニットによって送信された圧縮映像データを受信する受信手段と受信手段によって受信された圧縮映像データを伸張する映像伸張手段とを備えた受信側ユニットが、投射型映像表示装置に接続されていることを特徴とする。
【００１０】
請求項２に記載の発明は、請求項１に記載の発明において、送信側ユニット内の映像圧縮手段がハードウェアで構成されており、受信側ユニット内の映像伸張手段がハードウェアで構成されていることを特徴とする。
【発明の効果】
【００１１】
請求項１に係る発明によれば、コンピュータとコンピュータにネットワークを介して接続された投射型映像表示装置とを備え、コンピュータから投射型映像表示装置に映像を伝送して投射型映像表示装置に投射させる映像表示システムにおいて、静止画や動画を円滑に表示させることができるようになる。
【００１２】
また、請求項２に係る発明によれば、送信側ユニット内の映像圧縮手段がハードウェアで構成されており、受信側ユニット内の映像伸張手段がハードウェアで構成されているので、これらのユニットをコンピュータおよび投射型映像表示装置の機種やコンピュータのＯＳに関係なく、適用することができる。
【発明を実施するための最良の形態】
【００１３】
以下、図面を参照して、この発明の実施例について説明する。
【実施例１】
【００１４】
図１は、ＰＣと液晶プロジェクタを用いた本実施例の映像表示システムの外観を示している。
【００１５】
映像表示システムは、ＰＣ１００と液晶プロジェクタ２００とを備えている。ＰＣ１００には、映像圧縮機能と無線ＬＡＮカード機能とを備えた送信側ユニット３０が接続されている。液晶プロジェクタ２００には映像伸張機能と無線ＬＡＮカード機能とを備えた受信側ユニット４０が接続されている。
【００１６】
送信側ユニット３０のＶＧＡコネクタ３０ａは、ＰＣ１００のＶＧＡコネクタ１００ａ（図２参照）に連結されることにより、ＰＣ１００のＶＧＡコネクタ１００ａに電気的に接続されている。ＰＣ１００のＶＧＡコネクタ１００ａは、Ｄ−ｓｕｂ１５ピンであり、送信側ユニット３０のＶＧＡコネクタ３０ａも同様な形状である。
【００１７】
図２は、ＰＣ１００のＶＧＡコネクタ１００ａのピン配列を示している。図２において、Ｐ１〜Ｐ１５はＶＧＡコネクタ１００ａの各ピンを示している。また、表１は、ＶＧＡコネクタ１００ａの各ピンと信号名との関係を示している。
【００１８】
【表１】
2006235304.tif 000003
【００１９】
ＰＣ１００からのアナログＲＧＢ信号は、ピンＰ１（赤映像信号伝送用）、ピンＰ２（緑映像信号伝送用）、ピンＰ３（青映像信号伝送用）、ピンＰ１３（水平同期信号伝送用）およびピンＰ１４（垂直同期信号伝送用）を介して、送信側ユニット３０に送られる。      
【００２０】
図３は、図１の映像表示システムの構成を示している。
【００２１】
ＰＣ１００に接続された送信側ユニット３０は、Video Capture ３１、ＭＰＥＧエンコーダ３２および送信部３３を備えている。Video Capture ３１、ＭＰＥＧエンコーダ３２および送信部３３は、それぞれハードウェアで構成されている。送信側ユニット３０の電源はＰＣ１００のＵＳＢポートから供給するようにしてもよいし、ＡＣアダプタや二次電池から供給するようにしてもよい。
【００２２】
液晶プロジェクタ２００に接続された受信側ユニット４０は、受信部４１およびＭＰＥＧデコーダ４２を備えている。受信部４１およびＭＰＥＧデコーダ４２は、それぞれハードウェアで構成されている。
【００２３】
ＰＣ１００から出力されたアナログＲＧＢ信号は、ＶＧＡコネクタ１００ａおよびＶＧＡコネクタ３０ａを介して送信側ユニット３０内のVideo Capture ３１に送られる。Video Capture ３１は、入力映像信号の解像度、垂直周波数、水平周波数およびドットクロックにより、入力されたアナログＲＧＢ信号の種類を判別した後、判別された種類に応じたサンプリング周波数で入力映像信号のサンプリングを行って、入力映像信号をデジタルの映像データに変換する。
【００２４】
Video Capture ３１によって得られたデジタルの映像データは、ＭＰＥＧエンコーダ３２によって圧縮される。圧縮された映像データは、送信部３３によって、ＩＥＥＥ８０２．１１ｂ無線規格にしたがって無線送出される。
【００２５】
送信側ユニット３０から無線送出された圧縮映像データは、受信側ユニット４０内の受信部４１によって受信される。受信部４１によって受信された圧縮映像データは、ＭＰＥＧデコーダ４２に送られて伸張（復元）される。ＭＰＥＧデコーダ４２によって得られたデジタルの映像データは、液晶プロジェクタ２００に送られる。液晶プロジェクタ２００は、受信側ユニット４０から送られてきた映像データを拡大してスクリーンに投影する。      
【００２６】
上記実施例では、受信側ユニット４０は液晶プロジェクタ２００の外部に取り付けているが、受信側ユニット４０内の受信部４１のみを液晶プロジェクタ２００の外部に取り付け、受信側ユニット４０内のＭＰＥＧデコーダ４２を液晶プロジェクタ２００に内蔵させるようにしてもよい。
【００２７】
上記実施例によれば、ＰＣ１００からの映像信号を送信側ユニット３０内のＭＰＥＧエンコーダ３２によって圧縮した後にネットワークを介して、液晶プロジェクタ２００に装着された受信側ユニット４０に伝送し、受信側ユニット４０内のＭＰＥＧデコーダ４２によって圧縮映像データを伸張するようにしているので、映像データの伝送速度および伝送品質が向上し、静止画や動画を円滑に表示できるようになる。
【００２８】
また、上記実施例における送信側ユニット３０および受信側ユニット４０ではハードウェア処理によって画像の圧縮と伸張とを行っているので、これらのユニット３０、４０をＰＣおよびプロジェクタの機種やＰＣのＯＳに関係なく、適用することができる。
【図面の簡単な説明】
【００２９】
【図１】ＰＣと液晶プロジェクタを用いた本実施例の映像表示システムの外観を示す斜視図である。
【図２】ＰＣ１００のＶＧＡコネクタ１００ａのピン配列を示す模式図である。
【図３】図１の映像表示システムの構成を示すブロック図である。
【図４】ＰＣと液晶プロジェクタを用いた従来の映像表示システムの外観を示す斜視図である。
【図５】図４の映像表示システムの構成を示すブロック図である。
【符号の説明】
【００３０】
３０  送信側ユニット
３１  Video Capture 
３２  ＭＰＥＧエンコーダ
３３  送信部
４０  受信側ユニット
４１  受信部
４２  ＭＰＥＧデコーダ
１００  ＰＣ
２００  液晶プロジェクタ
【図１】
2006235304.tif 000004
【図２】
2006235304.tif 000005
【図３】
2006235304.tif 000006
【図４】
2006235304.tif 000007
【図５】
2006235304.tif 000008